(57)【要約】【課題】自動車用内装部品及びその製造方法であって、軽量化及びコストダウンを図るとともに、外周端末部の見栄えを向上させ、かつ端末処理作業を簡素化する。【解決手段】ドアトリム１０のベースであるドアトリム本体（積層構造体）２０は、軽量でかつ保形性を有する発泡樹脂基材２１と、その内面側に一体化される樹脂モールド部２２と、発泡樹脂基材２１の表面に一体化される加飾材２３とから構成する。従って、軽量な発泡樹脂基材２１を使用するとともに、樹脂モールド部２２との投影面積の軽減により、軽量化、コストダウンを図る。また、ドアトリム１０の外周縁の端末折曲部７０をコア部４２１の外側に設けた押圧機構部５０により、薄肉化並びに成形上型４１の絞模様６０を転写することで、端末折曲部７０の見栄え並びに端末処理作業性を高める。【選択図】図５
2006218825.tif 000002
【特許請求の範囲】
【請求項１】
所要形状に成形され、軽量でかつ保形性を有する発泡樹脂基材（２１）と、この発泡樹脂基材（２１）の裏面に一体化される樹脂モールド部（２２）と、上記発泡樹脂基材（２１）の表面に貼付される加飾材（２３）とからなる積層構造体（２０）を全体、あるいは一部に採用してなる自動車用内装部品（１０）において、
前記積層構造体（２０）は、予め一体化された発泡樹脂シート（Ｓ）と加飾材（２３）とが加熱軟化処理された後、成形金型（４１，４２）内に投入され、成形金型（４１，４２）の型締めにより、発泡樹脂基材（２１）が所要形状に成形され、成形上型（４１）の型面に刻設された絞模様（６０）が加飾材（２３）の表面に転写されるとともに、上記積層構造体（２０）の外周の一部に設定され、本体側に折曲操作される端末折曲部（７０）は、成形下型（４２）のコア部（４２１）外周に配設された押圧機構部（５０）により、端末折曲部（７０）の厚みが薄肉偏平化されるとともに、端末折曲部（７０）の表面に成形上型（４１）の絞模様（６０）が転写されていることを特徴とする自動車用内装部品。
【請求項２】
所要形状に成形され、軽量でかつ保形性を有する発泡樹脂基材（２１）と、この発泡樹脂基材（２１）の裏面に一体化される樹脂モールド部（２２）と、上記発泡樹脂基材（２１）の表面に貼付される加飾材（２３）とからなる積層構造体（２０）を全体、あるいは一部に採用してなる自動車用内装部品（１０）の製造方法において、
前記発泡樹脂基材（２１）の素材である発泡樹脂シート（Ｓ）と、加飾材（２３）とをラミネートした後、加熱軟化処理を施し、成形金型（４１，４２）内に投入し、成形金型（４１，４２）同士を型締めし、発泡樹脂基材（２１）を所要形状にプレス成形する一方、成形金型（４１，４２）の型締め直前、又は型締め後のいずれかのタイミングで成形金型（４１，４２）の溝部（４２４）内に溶融樹脂（Ｍ）を射出充填して、樹脂モールド部（２２）を発泡樹脂基材（２１）の裏面に一体化するとともに、キャビティの外周に沿って加飾材（２３）と発泡樹脂基材（２１）を成形上型（４１）の型面に対して下側から押圧ブロック（５１）を押圧することで発泡樹脂基材（２１）を薄肉化するとともに、加飾材（２３）の表面に絞模様（６０）を刻設した端末折曲部（７０）を形成し、成形金型（４１，４２）の型開き後、この端末折曲部（７０）を本体側に折曲処理して積層構造体（２０）を製造することを特徴とする自動車用内装部品の製造方法。
【発明の詳細な説明】
【技術分野】
【０００１】
この発明は、ドアトリム、リヤパーセルシェルフ、フロアトリム、トランクトリム、ラゲージトリム、ルーフトリム、リヤサイドトリム等の自動車用内装部品及びその製造方法に係り、特に、軽量化を達成できるとともに、廉価に製作でき、しかも、製品外周に沿う端末処理が簡単かつ廉価に行なえる自動車用内装部品及びその製造方法に関する。
【背景技術】
【０００２】
例えば、自動車用内装部品の構成について、ドアトリムを例示して図１１，図１２を基に説明する。ドアトリム１は、保形性及び車体パネルへの取付剛性を備え、製品面のほぼ全面にゆきわたっている樹脂芯材２の表面に、表面外観に優れた表皮３を積層一体化して構成されている。上記樹脂芯材２としては、タルクを混入したポリプロピレン系樹脂を素材としており、また、表皮３は、それ自体保形性を備えておらず、塩ビシート等の合成樹脂シート裏面にポリエチレンフォーム等のクッション材が積層された積層シート材料が使用され、最近では、環境面やリサイクル面を考慮して、サーモプラスチックオレフィン（以下ＴＰＯという）シート等のエラストマーシートが多用される傾向にある。
【０００３】
次に、上記ドアトリム１の成形方法における従来例について図１３を基に説明する。まず、ドアトリム１を成形する成形金型４は、所定ストローク上下動可能な成形上型５と、成形上型５と対をなす固定側の成形下型６と、成形下型６と接続される射出機７とから大略構成されている。そして、成形上下型５，６を型締めした際、ドアトリム１の製品形状を形造るために成形上型５にはキャビティ部５ａが形成され、成形下型６にはコア部６ａが設けられている。上記成形上型５を所定ストローク上下動作させるために、昇降シリンダ５ｂが連結され、成形下型６には射出機７からの溶融樹脂の通路となるマニホールド６ｂ、ゲート６ｃが設けられている。また、上下動作する成形上型５は、適正姿勢を維持させるために、成形下型６の４隅部にガイドポスト６ｄが設けられ、このガイドポスト６ｄに対応して成形上型５にはガイドブッシュ５ｃが設けられている。
【０００４】
従って、成形上下型５，６が型開き状態にある時、表皮３を金型内にセットし、その後、成形上下型５，６を型締めする直前か、又は型締めした後のいずれかのタイミングで両金型間の製品キャビティ内に射出機７からマニホールド６ｂ、ゲート６ｃを通じて溶融樹脂Ｍを射出充填することにより、樹脂芯材２を所要の曲面形状に成形するとともに、樹脂芯材２の表面に表皮３を一体成形している（例えば、特許文献１参照。）。尚、図１３では、説明の便宜上、コア部６ａの型面にオープン状態で溶融樹脂Ｍが供給されているが、実際は、溶融樹脂Ｍは成形上下型５，６の型締め後にキャビティ内に射出充填されても良い。
【０００５】
更に、ドアトリム１の製品の外周端末の処理については、図１４に示すように、芯材２の表面に表皮３を同時プレス成形した後、型内の型刃、あるいは成形後、別工程でピアスカット処理が行なわれている。また、図１５に示すように、芯材２のプレス成形後、表皮３を別工程で真空圧着、プレス圧着等により一体化した後、表皮３の端末３ａを芯材２の裏面側に巻込み処理することも従来から行なわれている。
【０００６】
【特許文献１】特開平１０−１３８２６８号公報  （第２頁、図３、図４）
【発明の開示】
【発明が解決しようとする課題】
【０００７】
しかしながら、従来のドアトリム１においては、樹脂芯材２の投影面積が大きいため、材料コストが高く、かつ製品が重量化するという問題点が指摘されている。また、樹脂芯材２の投影面積が大きいことから、成形時における射出圧を高く設定せざるを得ず、高い射出圧に耐え得る金型構造が必要となり、金型の作製費用も嵩み、しかも、大量の溶融樹脂を冷却固化させるため、成形サイクルが長期化し、生産性を低下させる大きな要因となっている。
【０００８】
更に、ドアトリム１の外周縁においては、図１４に示すように、表皮同時プレス成形を行なった場合、外周の端末処理が困難で、表皮３の木口や、積層シート材料仕様の表皮３の場合、フォーム層の木口が外部に露出する等、見栄えが悪く、外観性能を低下させる欠点があるとともに、図１５に示すように、別工程で表皮３を巻込み処理する方法では、工数が多く、コストアップが避けられない。
【０００９】
本発明は、このような事情に鑑みてなされたもので、軽量化を促進でき、高剛性でコストダウンを図れる自動車用内装部品を提供でき、特に、製品外周端末部の見栄えを高めることができるとともに、端末処理作業も簡単に行なえる外観性能を高めた自動車用内装部品及びその製造方法を提供することを目的とする。
【課題を解決するための手段】
【００１０】
本発明者らは、上記課題を解決するために、鋭意研究の結果、従来から表皮として使用していた発泡樹脂シートに保形性を付与することで、芯材としての機能をもたせ、より以上に剛性が必要な箇所、すなわち製品の周縁部分やパネル、相手部品との合わせ部で密接可能、又は一定クリアランスを確保する箇所、あるいは部品取付箇所、並びに荷重が加わる部分には、剛性に優れた樹脂リブを配置することで、従来の投影面積の広い樹脂芯材に比べ、製品の軽量化を図るとともに、製品の外周端末処理については、成形金型形状に工夫を施すことで、美麗な端末処理を達成できることを見い出し、本発明を完成するに至った。
【００１１】
すなわち、本発明に係る自動車用内装部品は、所要形状に成形され、軽量でかつ保形性を有する発泡樹脂基材と、この発泡樹脂基材の裏面に一体化される樹脂モールド部と、上記発泡樹脂基材の表面に貼付される加飾材とからなる積層構造体を全体、あるいは一部に採用してなる自動車用内装部品において、前記積層構造体は、予め一体化された発泡樹脂シートと加飾材とが加熱軟化処理された後、成形金型内に投入され、成形金型の型締めにより、発泡樹脂基材が所要形状に成形され、成形上型の型面に刻設された絞模様が加飾材の表面に転写されるとともに、上記積層構造体の外周の一部に設定され、本体側に折曲操作される端末折曲部は、成形下型のコア部外周に配設された押圧機構部により、端末折曲部の厚みが薄肉偏平化されるとともに、端末折曲部の表面に成形上型の絞模様が転写されていることを特徴とする。
【００１２】
ここで、自動車用内装部品としては、ドアトリム、リヤパーセルシェルフ、フロアトリム、トランクトリム、ラゲージトリム、ルーフトリム、リヤサイドトリム等に適用できる。そして、軽量で、かつ保形性を有する発泡樹脂基材は、フラット形状に近い場合は、加熱軟化工程を省略して、成形型により所望形状に成形するが、三次元形状の製品に適用する場合は、発泡樹脂シートを加熱軟化処理した後、成形金型内で所要の曲面形状に成形することで、その形状を保持する。尚、ここでいう「保形性」とは、リブ等の補強材がなくても、成形後、脱型した時、その形状を保持する程度の剛性を備えていることである。また、製品形状が高展開率部分を含む場合には、発泡樹脂シートを加熱軟化処理した後、成形金型に真空吸引機構を配設して成形金型の内面に沿って発泡樹脂シートに真空吸引力を作用させるようにしても良い。
【００１３】
上記発泡樹脂シートとしては、熱可塑性樹脂に発泡剤を添加した素材を使用する。尚、熱可塑性樹脂は、１種類の熱可塑性樹脂でも２種類以上の熱可塑性樹脂からなっても良い。好ましくは、ポリエチレン系樹脂、ポリプロピレン系樹脂、ポリスチレン系樹脂、ポリエチレンテレフタレート系樹脂、ポリビニルアルコール系樹脂、塩化ビニル系樹脂、ポリアミド系樹脂、ポリアセタール系樹脂、ポリカーボネート系樹脂、アイオノマー系樹脂、アクリロニトリル／ブタジエン／スチレン（ＡＢＳ）樹脂等が使用できる。また、発泡剤としては、アゾ化合物、スルホヒドラジド化合物、ニトロソ化合物、アジド化合物等の有機発泡剤、あるいは重炭酸ナトリウム等の無機発泡剤の使用が可能である。上記発泡樹脂シートを加熱軟化処理後、所要形状に成形して得た発泡樹脂基材は、製品の重量と強度とのバランスを考慮した場合、２〜１０倍の発泡倍率が好ましい。その時の発泡樹脂基材のセル径は、０．１μｍ〜２．０ｍｍの範囲であることが好ましく、厚みは０．５〜３０ｍｍ、好ましくは１〜１０ｍｍのものが良い。
【００１４】
一方、樹脂モールド部としては、補強機能をもつ格子状に形成される樹脂リブ、クリップ座、またインナーシール取付用フランジや周縁フレーム体等が該当する。そして、この樹脂モールド部として使用する熱可塑性樹脂材料は、広範な熱可塑性樹脂から適宜選択することができる。通常好ましく使用できるものとして、ポリエチレン系樹脂、ポリプロピレン系樹脂、ポリスチレン系樹脂、ポリエチレンテレフタレート系樹脂、ポリビニルアルコール系樹脂、塩化ビニル系樹脂、ポリアミド系樹脂、ポリアセタール系樹脂、ポリカーボネート系樹脂、アイオノマー系樹脂、アクリロニトリル／ブタジエン／スチレン（ＡＢＳ）樹脂等が使用できる。また、これら熱可塑性樹脂中に各種充填剤を混入しても良い。使用できる充填剤としては、ガラス繊維、カーボン繊維等の無機繊維、タルク、クレイ、シリカ、炭酸カルシウム等の無機粒子等がある。また、酸化防止剤、紫外線吸収剤、着色剤、難燃剤、低収縮剤等の各種の添加剤が配合されても良い。
【００１５】
そして、外観意匠性を高めるために、発泡樹脂基材の表面に加飾材が一体化されている。この加飾材としては、ＴＰＯ、サーモプラスチックウレタン（以下ＴＰＵという）、ＰＶＣ等の熱可塑性樹脂シートの単一シートか、あるいはこれら単一シートの裏面にポリウレタンフォーム、ポリエチレンフォーム、ポリプロピレンフォーム等の発泡シートをクッション層として積層一体化した積層シート材料が使用でき、所望ならば、クッション層の裏面にバッキング効果をもつ不織布層を裏打ちすることもできる。そして、加飾材の製品表面は、成形金型から絞模様が転写されて良好な製品外観が得られる。
【００１６】
更に、積層構造体の周縁端末の一部は、所望の剛性並びに外観を得るために、本体側に折曲処理する端末折曲部が設定されている。そして、この端末折曲部は、発泡樹脂基材が薄肉偏平化されているとともに、加飾材の表面には、製品面と同一の良好な絞模様が成形金型側から転写されている。
【００１７】
そして、本発明に係る自動車用内装部品によれば、保形性を有する発泡樹脂基材の表面に加飾性を有する加飾材が積層され、かつ裏面側に樹脂モールド部が積層一体化されるという構成であるため、従来の樹脂芯材を廃止することができる。よって、従来の投影面積の非常に広い樹脂芯材を廃止することで製品の軽量化を図ることができ、しかも、樹脂材料を節約できることから、材料コストの低減も同時に達成できる。更に、積層構造体の製品周縁に沿う端末部の一部は、薄肉化され、折曲操作がやり易く、かつ成形金型側から絞模様が転写されているため、切断木口が外部に露出することがなく、良好な外観見栄えを提供することができる。
【００１８】
次に、本発明に係る自動車用内装部品の製造方法は、所要形状に成形され、軽量でかつ保形性を有する発泡樹脂基材と、この発泡樹脂基材の裏面に一体化される樹脂モールド部と、上記発泡樹脂基材の表面に貼付される加飾材とからなる積層構造体を全体、あるいは一部に採用してなる自動車用内装部品の製造方法において、前記発泡樹脂基材の素材である発泡樹脂シートと、加飾材とをラミネートした後、加熱軟化処理を施し、成形金型内に投入し、成形金型同士を型締めし、発泡樹脂基材を所要形状にプレス成形する一方、成形金型の型締め直前、又は型締め後のいずれかのタイミングで成形金型の溝部内に溶融樹脂を射出充填して、樹脂モールド部を発泡樹脂基材の裏面に一体化するとともに、キャビティの外周に沿って加飾材と発泡樹脂基材を成形上型の型面に対して下側から押圧ブロックを押圧することで発泡樹脂基材を薄肉化するとともに、加飾材の表面に絞模様を刻設した端末折曲部を形成し、成形金型の型開き後、この端末折曲部を本体側に折曲処理して積層構造体を製造することを特徴とする。
【００１９】
ここで、本発明に方法に使用する成形金型は、可動側金型、固定側金型、射出機とから大略構成されている。例えば、所定ストローク上下動可能な成形上型と、この成形上型の下方側に位置する成形下型と、成形下型に連結される射出機とから構成される。そして、成形上下型を使用した場合、射出機から供給される溶融樹脂は、成形下型に設けられたマニホールド、ゲート等の樹脂通路を通じて成形下型の型面、詳しくは成形下型の型面上に形成される溝部内に供給されるが、成形上型が下死点まで下降して、成形上下型を型締めした後、溶融樹脂を所定の射出圧で成形下型の型面に設けられた溝部内に射出充填しても良いが、溶融樹脂の射出充填のタイミングとして、成形上型の型締め前に行なっても良い。
【００２０】
更に、成形上型には、加熱軟化処理された加飾材の表面に絞模様を転写させるために、成形上型の型面には絞模様が刻設されているとともに、真空吸引機構が付設されている。また、成形下型のコア部外周に沿っては、端末折曲部を形成するために、押圧機構部が配設されている。この押圧機構部は、駆動シリンダにより昇降する押圧ブロックから構成され、この押圧ブロックにより、端末折曲部に相当する発泡樹脂基材が薄肉偏平化されるとともに、加飾材の表面に成形上型からの絞模様が転写される。
【００２１】
従って、本発明方法によれば、従来の投影面積の広い樹脂芯材に比べ、樹脂モールド部だけを成形するため、射出圧力を従来に比べて低く設定できることにより、成形金型の負荷が少なくて済むとともに、樹脂材料を節約でき、しかも、従来の樹脂芯材に比べ冷却時間も短縮化できるため、製品の成形サイクルを短縮化できる。更に、積層構造体の製品外周の一部に設けられる端末折曲部は、押圧ブロックにより薄肉偏平化されるとともに、加飾材の表面には、成形上型から絞模様が精度良く転写されているため、本体部の成形と同時に外周の端末折曲部を同時に成形することができ、成形後は端末折曲部を折り返し操作すれば、端末処理が簡単かつ美麗に行なえる。
【発明の効果】
【００２２】
以上説明した通り、本発明に係る自動車用内装部品は、軽量で、かつ保形性を有する発泡樹脂基材と、この発泡樹脂基材の裏面の所定位置に積層一体化される樹脂モールド部と、発泡樹脂基材の表面に積層される加飾材とから構成されるため、従来の重量の嵩む樹脂芯材を廃止できることから、軽量で低コスト、しかも多孔質素材であるため、吸音性能に優れた自動車用内装部品を提供できるという効果を有する。
【００２３】
更に、本発明に係る自動車用内装部品の製造方法は、成形金型のキャビティ形状に沿って、発泡樹脂基材を所要形状に成形すると同時に発泡樹脂基材の裏面側に樹脂モールド部を成形するという工程を採用しており、樹脂モールド部の投影面積が少ないため、従来の樹脂芯材に比べ、成形金型にかかる負荷も少なく、かつ冷却時間も短縮化でき、歩留まりを高めることができることから、作業能率を高めることができるとともに、樹脂材料も節約でき、大幅なコストダウンを招来できるという作用効果を有する。
【００２４】
また、本発明に係る自動車用内装部品及びその製造方法によれば、発泡樹脂基材の成形時に製品外周に沿う端末折曲部における発泡樹脂基材を押圧機構部と成形上型との間で薄肉偏平化するとともに、成形上型の絞模様を端末折曲部における加飾材の表面に精度良く転写できるため、端末折曲部における本体側への折曲操作がやり易く、かつ製品面と同一の絞模様を端末折曲部表面にも施すことができ、端末部分の外観見栄えを良好に維持できるという効果を有する。
【発明を実施するための最良の形態】
【００２５】
以下、本発明に係る自動車用内装部品及びその製造方法の好適な実施例について、自動車用ドアトリム及びその製造方法を例示して説明する。
【実施例】
【００２６】
図１乃至図１０は本発明の一実施例を示し、図１は自動車用ドアトリムを示す正面図、図２は同自動車用ドアトリムの構成を示す断面図、図３は同自動車用ドアトリムにおけるウエスト部の構成を示す説明図、図４は同自動車用ドアトリムの製造方法に使用する成形金型を示す全体図、図５は同成形金型におけるドアトリムのウエスト部周辺の端末折曲部を形成するための成形金型と押圧ブロックとを示す説明図、図６乃至図１０は同自動車用ドアトリムの製造方法の各工程を示す説明図である。
【００２７】
図１，図２において、自動車用ドアトリム１０は、所望の曲面形状に成形されたドアトリム本体２０をベースとしており、このドアトリム本体２０に各種機能部品として、例えば、インサイドハンドルエスカッション１１、パワーウインドウスイッチエスカッション１２、プルハンドル１３、ドアポケットエスカッション１４、スピーカグリル１５等の機能部品が取り付けられている。また、ドアトリム本体２０は、図２に示すように、所望の曲面形状に成形され、保形性を有する発泡樹脂基材２１と、この発泡樹脂基材２１の裏面側に積層一体化される樹脂モールド部２２と、発泡樹脂基材２１の表面側に積層一体化される加飾機能をもつ加飾材２３とから大略構成されている。
【００２８】
更に詳しくは、上記発泡樹脂基材２１としては、保形性を備えるように、発泡樹脂シートを加熱軟化処理後、所要形状に熱成形、例えば所望の型面を有する成形金型でコールドプレス成形を行なうことにより所要形状に成形される。上記発泡樹脂シートは、汎用の熱可塑性樹脂に発泡剤を添加した構成であり、熱可塑性樹脂としては、ポリエチレン系樹脂、ポリプロピレン系樹脂、ポリスチレン系樹脂、ポリエチレンテレフタレート系樹脂、ポリビニルアルコール系樹脂、塩化ビニル系樹脂、ポリアミド系樹脂、ポリアセタール系樹脂、ポリカーボネート系樹脂、アイオノマー系樹脂、アクリロニトリル／ブタジエン／スチレン（ＡＢＳ）樹脂等が使用でき、発泡剤としては、アゾジカルボンアミド等の有機発泡剤や重炭酸ナトリウム等の無機発泡剤が使用できる。この実施例では、ポリプロピレン系樹脂に発泡剤として重炭酸ナトリウムを適宜添加した発泡樹脂シートを使用している。また、この発泡樹脂基材２１の発泡倍率は、２〜１０倍に設定され、厚みは０．５〜３０ｍｍ、特に１〜１０ｍｍの範囲に設定されている。
【００２９】
次いで、発泡樹脂基材２１の裏面に一体化される樹脂モールド部２２としては、図２，図３に示すように、ドアトリム１０の製品形状を保持するように補強機能をもつ樹脂リブ２４、ドアインナーシール３０を取り付けるためのウエストフランジ２５、図示はしないが車体パネルに取り付けるためのクリップを装着するためのクリップ取付座（図示せず）等が該当する。例えば、樹脂リブ２４としては、交差状に延びる所定パターンに設定されている。尚、このパターンは、縦横方向、斜め方向、あるいはその組み合わせ等、交差状であれば任意のパターンに設定されて良い。これら樹脂モールド部２２は、汎用の合成樹脂成形体からなり、通常好ましく使用できる合成樹脂としては、ポリエチレン系樹脂、ポリプロピレン系樹脂、ポリスチレン系樹脂、ポリエチレンテレフタレート系樹脂、ポリビニルアルコール系樹脂、塩化ビニル系樹脂、ポリアミド系樹脂、ポリアセタール系樹脂、ポリカーボネート系樹脂、アイオノマー系樹脂、アクリロニトリル／ブタジエン／スチレン（ＡＢＳ）樹脂等から適宜選択されて良く、本実施例では、環境面、リサイクル面を考慮してポリプロピレン系樹脂が使用されている。また、この樹脂モールド部２２には、上記熱可塑性樹脂中に適宜フィラー、例えば、ガラス繊維、カーボン繊維等の無機繊維や、タルク、クレイ、シリカ、炭酸カルシウム等の無機粒子等の充填剤が混入されていても良い。
【００３０】
次いで、加飾材２３としては、ＴＰＯ、ＴＰＵ、ＰＶＣ等の熱可塑性樹脂シートから選択される単一シート材料か、あるいはこれら単一シート材料の裏面にポリウレタンフォーム、ポリエチレンフォーム、ポリプロピレンフォーム等のクッション層を裏打ちした積層シート材料が使用される。本実施例においては、ＴＰＯシートからなる単一シート材料が使用されている。尚、所望により、裏面不織布をシート材料、あるいはクッション層の裏面に裏打ちすることも可能である。
【００３１】
このように、本発明に係るドアトリム１０は、保形性を有する発泡樹脂基材２１と、この発泡樹脂基材２１の裏面に一体化される樹脂モールド部２２（樹脂リブ２４、ウエストフランジ２５）、加飾性を有する加飾材２３とから構成されているため、従来のように、製品の全面に亘り占有していた樹脂芯材を廃止でき、かつ軽量な発泡樹脂基材２１を使用することに加えて、樹脂モールド部２２の大半部分を占める樹脂リブ２４は、格子状であり、荷重が加わる部位、例えばクリップ座、ウエスト部上面、アームレスト部上面等を除いた部位は肉抜き構造となっているため、製品の重量について、従来例の構造のものに比べ４０％以上の軽量化を図ることができるとともに、樹脂材料も大幅に節約でき、コストダウンに貢献できるという利点がある。
【００３２】
そして、ドアトリム１０の製品外観については、成形時に成形金型からの絞転写により、表面外観に優れるとともに、特に図３に示すように、ウエストフランジ２５にドアインナーシール３０が取り付けられるが、このドアトリム１０のウエスト部フロント側上端部は、図示しないインストパッドとの合わせを考慮してコーナーラインが徐変状に設定されているため、図３中Ａで示す傾斜状意匠面が設定されており、この傾斜状意匠面Ａについても製品面と同一な絞模様が転写されて外観性能を向上させている。この傾斜状意匠面Ａは、通常の型抜き方向から見た場合、アンダーカットとなるため、成形金型からの真空吸引力による絞転写ができないが、本発明方法を採用することで簡単かつ美麗に傾斜状意匠面Ａに良好な絞模様を付設することができる。
【００３３】
次いで、上述したドアトリム１０の製造方法について説明するが、その前にドアトリム１０を成形する際に使用する成形金型４０の構成について図４，図５を基に説明する。特に、図４で成形金型４０の全体構造について説明し、図５でドアトリム本体２０における外周部に対応する成形金型４０の要部について説明する。図４において、ドアトリム１０の成形に使用する成形金型４０は、所定ストローク上下動可能な成形上型４１と、成形上型４１と対をなす固定側の成形下型４２と、成形下型４２に接続される射出機４３とから大略構成されている。
【００３４】
更に詳しくは、成形上型４１は、製品形状に合致したキャビティ部４１１が形成されており、成形上型４１の上面に連結された昇降シリンダ４１２により所定ストローク上下駆動される。また、成形上型４１の４隅部には、ガイド機構となるガイドブッシュ４１３が設けられている。一方、成形下型４２には、成形上型４１のキャビティ部４１１に対応するコア部４２１が設けられている。また、このコア部４２１の型面に溶融樹脂を供給するために、マニホールド４２２、ゲート４２３が設けられており、このマニホールド４２２、ゲート４２３の樹脂通路を経て射出機４３から供給される溶融樹脂Ｍがコア部４２１の上面に形成された溝部（樹脂リブ２４形成用溝部）４２４、溝部（ウエストフランジ２５形成用溝部）４２５内に供給される。また、成形下型４２の４隅部には、ガイド機構となるガイドポスト４２６が突設され、このガイドポスト４２６は、成形上下型４１，４２が型締めされる際、ガイドブッシュ４１３内に案内されることで成形上型４１のプレス姿勢を適正に維持できる。
【００３５】
図５は成形金型４０におけるドアトリム１０の外周端末部（ウエストフランジ２５相当箇所）に対応する部分の金型構造を示すもので、成形上型４１には、真空吸引孔４１４が開設されており、成形上型４１に付設される真空吸引機構４４により加飾材２３の製品表面は成形上型４１に刻設されている絞模様６０が転写される。また、成形下型４２には、樹脂リブ２４に相当する溝部４２４及びウエストフランジ２５に相当する溝部４２５が形成されている。尚、溝部４２５がアンダーカットとなるため、直上げコア４２７が成形下型４２に設けられている。そして、本発明方法に使用する成形金型４０には、成形下型４２のコア部４２１外周の一部に押圧機構部５０が配設されている。この押圧機構部５０としては、押圧ブロック５１が駆動シリンダ５２により上下動作可能に支持されている。また、その外側には、クランパー５３が付勢スプリング５４により常時上方にバネ付勢された状態で設けられている。また、このクランパー５３と当接する部分まで成形上型４１の型面には絞模様６０が刻設されている。すなわち、クランパー５３が加飾材２３と発泡樹脂シートＳの外周端末を成形上型４１の型面に圧着保持するとともに、コア部４２１とクランパー５３によりクランプされる間の部位について、この部位には真空吸引機構４４からの真空吸引力は作用しないが、押圧ブロック５１の圧接作用により、発泡樹脂シートＳを薄肉状にプレス加工するとともに、加飾材２３の表面に絞模様６０を転写することになる。
【００３６】
次に、上述した成形金型４０を使用してドアトリム１０の製造方法の各工程について詳細に説明する。まず、図６に示すように、成形金型４０における成形上型４１と成形下型４２が型開き状態にある時、成形金型４０内に加飾材２３と発泡樹脂シートＳとを投入する。この時、発泡樹脂シートＳと加飾材２３とは予めラミネートされており、このラミネート手段としては、発泡樹脂シートＳの押出時に発泡樹脂シートＳの余熱により加飾材２３を一体化することで、前もって加飾材２３と発泡樹脂シートＳとが一体化されている。そして、図示しないヒーター装置により、１６０〜２２０℃の高温で加熱軟化処理を施した後、図６に示すように成形金型４０内に投入する。この発泡樹脂シートＳとしては、ポリプロピレン製発泡シート（住化プラステック製、商品名：スミセラー発泡ＰＰシート、発泡倍率＝３倍、厚み３ｍｍ）が使用されている。
【００３７】
そして、成形金型４０内に発泡樹脂シートＳ、加飾材２３を一体化した積層シート材料をセットした後、成形上型４１の昇降シリンダ４１２を駆動させることにより、成形上型４１が所定ストローク下降して、図７に示すように、成形上下型４１，４２が型締めされて、発泡樹脂シートＳが所望の型面形状に沿って賦形され、発泡樹脂基材２１が所要形状に成形される。この時、射出機４３からマニホールド４２２、ゲート４２３を通じて溝部４２４，４２５内に溶融樹脂Ｍが供給されて樹脂リブ２４やウエストフランジ２５が発泡樹脂基材２１の裏面所定位置に一体化される。この時、発泡樹脂基材２１の表面側に一体化されている加飾材２３は、真空吸引機構４４の動作により、成形上型４１の型面に密着し、成形上型４１の型面に刻設されている絞模様６０が良好に転写されて美麗な製品外観が得られる。
【００３８】
更に、図８に示すように、成形上下型４１，４２が型締めされた状態では、クランパー５３と成形上型４１との間には、付勢スプリング５４のバネ力により加飾材２３、発泡樹脂シートＳの端末が保持されており、成形下型４２のコア部４２１とクランパー５３との間に押圧ブロック５１が上下動可能に配設されているとともに、駆動シリンダ５２により上方に向け付勢され、端末折曲部７０を押圧している。この駆動シリンダ５２による押圧ブロック５１から発泡樹脂シートＳに加わる押圧力は、５〜５０ｋｇｆ／ｃｍ2 程度に設定されており、この押圧力により発泡樹脂シートＳは薄肉偏平化されるとともに、加飾材２３の表面には、成形上型４１の型面に刻設されている絞模様６０が良好に転写されることになる。その結果、端末折曲部７０は、薄肉偏平状で適度の剛性を備えるとともに、表面には絞模様６０が精度良く転写されている。尚、成形下型４２に設けられる溝部４２５は、アンダーカット形状であるため、成形品の脱型の際は、直上げコア４２７が上昇して、この直上げコア４２７からウエストフランジ２５を取り外すように脱型操作を行なうと良い。
【００３９】
次いで、成形金型４０から脱型したドアトリム１０において、図９に示すように、ウエストフランジ２５の一部に折曲操作する端末折曲部７０をトリムカット処理し端材を除去した後、図１０に示すように、ウエストフランジ２５の傾斜状意匠面Ａを構成するように端末折曲部７０を接着、あるいは溶着固定した後、ドアインナーシール３０をウエストフランジ２５に取り付けて、ドアトリム１０の製造が完了する。尚、本実施例では、ドアトリム１０におけるウエストフランジ２５の加飾材２３、発泡樹脂基材２１を折曲する部位に適用したが、ドアトリム１０等の内装部品の外周端末に位置し、本体側に折曲操作する端末折曲部７０の構成であれば、用途、部位は問わない。
【産業上の利用可能性】
【００４０】
以上説明した実施例では、自動車用ドアトリム１０に本発明を適用したが、ツートンタイプのドアトリムやドアトリム以外の内装部品、例えばリヤパーセルシェルフ、フロアトリム、トランクトリム、ラゲージトリム、ルーフトリム、リヤサイドトリム等、内装部品全般に適用することができる。
【図面の簡単な説明】
【００４１】
【図１】本発明に係る自動車用内装部品をドアトリムに適用した実施例を示す正面図である。
【図２】図１に示すドアトリムの構成を示す断面図である。
【図３】図１に示すドアトリムにおけるウエスト部フロント側の構成を示す説明図である。
【図４】図１に示すドアトリムの製造方法に使用する成形金型の全体構成を示す説明図である。
【図５】図４に示す成形金型におけるウエストフランジ部分の構成を示す説明図である。
【図６】図１に示すドアトリムの製造方法における発泡樹脂シートのセット工程を示す説明図である。
【図７】図１に示すドアトリムの製造方法における発泡樹脂基材の成形工程、樹脂モールド部の射出成形工程を示す説明図である。
【図８】図１に示すドアトリムの製造方法における端末折曲部の押圧工程を示す説明図である。
【図９】図１に示すドアトリムの製造方法における端末折曲部のカット工程を示す説明図である。
【図１０】図１に示すドアトリムの製造方法における端末折曲部の折曲工程を示す説明図である。
【図１１】従来のドアトリムを示す正面図である。
【図１２】図１１中XII −XII 線断面図である。
【図１３】従来のドアトリムの成形方法に使用する成形金型の構成を示す説明図である。
【図１４】従来のプレス成形による自動車用ドアトリムにおける端末部分の従来例を示す説明図である。
【図１５】表皮巻込みタイプのドアトリムにおける端末部分の従来例を示す説明図である。
【符号の説明】
【００４２】
１０  自動車用ドアトリム
２０  ドアトリム本体
２１  発泡樹脂基材
２２  樹脂モールド部
２３  加飾材
２４  樹脂リブ
２５  ウエストフランジ
３０  ドアインナーシール
４０  成形金型
４１  成形上型
４１１  キャビティ部
４１２  昇降シリンダ
４１４  真空吸引孔
４２  成形下型
４２１  コア部
４２２  マニホールド
４２３  ゲート
４２４，４２５  溝部
４２７  直上げコア
４３  射出機
４４  真空吸引機構
５０  押圧機構部
５１  押圧ブロック
５２  駆動シリンダ
５３  クランパー
５４  付勢スプリング
６０  絞模様
７０  端末折曲部
Ａ  傾斜状意匠面
Ｍ  溶融樹脂
Ｓ  発泡樹脂シート
【図１】
2006218825.tif 000003
【図２】
2006218825.tif 000004
【図３】
2006218825.tif 000005
【図４】
2006218825.tif 000006
【図５】
2006218825.tif 000007
【図６】
2006218825.tif 000008
【図７】
2006218825.tif 000009
【図８】
2006218825.tif 000010
【図９】
2006218825.tif 000011
【図１０】
2006218825.tif 000012
【図１１】
2006218825.tif 000013
【図１２】
2006218825.tif 000014
【図１３】
2006218825.tif 000015
【図１４】
2006218825.tif 000016
【図１５】
2006218825.tif 000017